(57)【要約】      （修正有）【課題】フレキシブル風管の末端の移動を防止して、移動型排風機の使用の便利性を増すことができるフレキシブル風管の末端固定装置の提供。【解決手段】  フレキシブル風管の末端固定装置はスリーブを主体とし、このスリーブの一端の外径がフレキシブル風管の末端管口の内径よりやや小さく、これによりフレキシブル風管の末端の管口とスリーブが嵌合され、スリーブの固定形態及び重量作用により、フレキシブル風管の末端の移動が防止され、並びに気流が順調にフレキシブル風管より排出されるか或いはフレキシブル風管に吸入され、大幅に移動型排風機の使用の便利性及び作業効率を高める。【選択図】図４
0003109909.tif 000002
【実用新案登録請求の範囲】
【請求項１】
フレキシブル風管の末端に接続されてフレキシブル風管の末端の移動を制限するのに用いられるフレキシブル風管の末端固定装置であり、該固定装置は、所定形態のスリーブを主体とし、このスリーブの一端の外径がフレキシブル風管の末端管口内径より小さくされてフレキシブル風管末端と接続される嵌合端とされたことを特徴とする、フレキシブル風管の末端固定装置。
【請求項２】
請求項１記載のフレキシブル風管の末端固定装置において、フレキシブル風管の末端管口周囲にロープが繞設されたことを特徴とする、フレキシブル風管の末端固定装置。
【請求項３】
請求項１記載のフレキシブル風管の末端固定装置において、フレキシブル風管の末端管口周囲にロープが繞設され、スリーブの嵌合端の管口にリップが設けられたことを特徴とする、フレキシブル風管の末端固定装置。
【請求項４】
請求項１記載のフレキシブル風管の末端固定装置において、スリーブの管体外周に脚が設けられたことを特徴とする、フレキシブル風管の末端固定装置。
【請求項５】
請求項１記載のフレキシブル風管の末端固定装置において、スリーブにあって嵌合端と反対の端部が開放端とされ、該開放端の内径が該嵌合端の内径より大きいことを特徴とする、フレキシブル風管の末端固定装置。
【請求項６】
請求項１記載のフレキシブル風管の末端固定装置において、スリーブにあって嵌合端と反対の端部が開放端とされ、該開放端と嵌合端の内周の管壁に円弧形拡張セクションが設けられ、これにより開放端の内径が嵌合端の内径より大きくされたことを特徴とする、フレキシブル風管の末端固定装置。
【考案の詳細な説明】
【技術分野】
【０００１】
本考案は一種の排風機（排煙機）に使用されるフレキシブル風管固定の技術に係り、フレキシブル風管の末端の移動を防止するのに有効で、並びに気流を順調にフレキシブル風管に入出させることができ、大幅に移動型排風機の使用の便利性と作業効率を向上できる固定装置に関する。
【背景技術】
【０００２】
一般に焼却場或いは下水道、汚水池等の清掃作業時には、排風機（或いはブロワー）を利用して、作業現場の有毒ガスを排出するか、新鮮な空気を作業現場に送り、作業員に中毒が発生するのを防止する。これにより、使用される排風機の多くは手に提げられるか或いは押動されるフレーム上に取り付けられるいわゆる移動式排風機形態とされ、フレームの作用により、簡単に排風機を使用位置に位置決めでき、排風機の使用が機動性を具備するものとされる。
【０００３】
実際の使用状態では、排風機の定置部分と気流排出位置は同じエリアにはないことがあり、さらには排風機と気流排出位置との間が相当な距離となることがある。このため、図１に示されるように、フレキシブル風管１０を排風機２０の入風口（或いは出風口）に接続し、並びにフレキシブル風管１０の末端を適宜位置まで延伸してフレキシブル風管の案内により、排風機２０の吸い取った気流をフレキシブル風管１０の末端のエリアに排出させている。
【０００４】
さらに、フレキシブル風管１０の排風機２０と接続される一端は任意に移動できないのは当然であるが、フレキシブル風管１０末端は固定構造を具えていないため、確実に先に放置した位置に位置決めできず、気流の吹き出しにより任意に移動しやすく、使用上の不便を形成する。特に、フレキシブル風管１０末端の開口は関係する支持構造がなく、確実に拡張不能で、気流のフレキシブル風管の進出に影響し、これにより排風機２０の作業効率を下げることになる。
【考案の開示】
【考案が解決しようとする課題】
【０００５】
本考案は一種のフレキシブル風管の末端固定装置を提供することを目的とし、それは、スリーブを主体とし、このスリーブの一端の外径がフレキシブル風管の末端管口の内径よりやや小さく、これによりフレキシブル風管の末端の管口とスリーブが嵌合され、スリーブの固定形態及び重量作用により、フレキシブル風管の末端の移動を防止して、移動型排風機の使用の便利性を増すものとする。
【０００６】
特に、スリーブがフレキシブル風管の末端の管口に対して形成する支持作用により、フレキシブル風管末端の管口が完全に展開され、気流が順調にフレキシブル風管より排出されるか或いはフレキシブル風管に進入し、大幅に移動型排風機の作業効率を高めることができるものとする。
【課題を解決するための手段】
【０００７】
請求項１の考案は、フレキシブル風管の末端に接続されてフレキシブル風管の末端の移動を制限するのに用いられるフレキシブル風管の末端固定装置であり、該固定装置は、所定形態のスリーブを主体とし、このスリーブの一端の外径がフレキシブル風管の末端管口内径より小さくされてフレキシブル風管末端と接続される嵌合端とされたことを特徴とする、フレキシブル風管の末端固定装置としている。
請求項２の考案は、請求項１記載のフレキシブル風管の末端固定装置において、フレキシブル風管の末端管口周囲にロープが繞設されたことを特徴とする、フレキシブル風管の末端固定装置としている。
請求項３の考案は、請求項１記載のフレキシブル風管の末端固定装置において、フレキシブル風管の末端管口周囲にロープが繞設され、スリーブの嵌合端の管口にリップが設けられたことを特徴とする、フレキシブル風管の末端固定装置としている。
請求項４の考案は、請求項１記載のフレキシブル風管の末端固定装置において、スリーブの管体外周に脚が設けられたことを特徴とする、フレキシブル風管の末端固定装置としている。
請求項５の考案は、請求項１記載のフレキシブル風管の末端固定装置において、スリーブにあって嵌合端と反対の端部が開放端とされ、該開放端の内径が該嵌合端の内径より大きいことを特徴とする、フレキシブル風管の末端固定装置としている。
請求項６の考案は、請求項１記載のフレキシブル風管の末端固定装置において、スリーブにあって嵌合端と反対の端部が開放端とされ、該開放端と嵌合端の内周の管壁に円弧形拡張セクションが設けられ、これにより開放端の内径が嵌合端の内径より大きくされたことを特徴とする、フレキシブル風管の末端固定装置としている。
【考案の効果】
【０００８】
本考案のフレキシブル風管の末端固定装置は、有効にフレキシブル風管の末端の移動を防止でき、フレキシブル風管の末端管口を確実に拡張させ、大幅に移動型排風機の使用の便利性と作業効率を高めることができる。
【考案を実施するための最良の形態】
【０００９】
図２に示されるように、本考案のフレキシブル風管の末端固定装置は、所定形態のスリーブ３０を主体とし、このスリーブ３０の一端の外径がフレキシブル風管１０の末端管口の内径よりやや小さく、フレキシブル風管１０の末端と接続される嵌合端３１とされ、スリーブ３０にあって嵌合端３１と反対の端部が開放端とされ、その開放端３２の内径は嵌合端３１の内径よりやや大きく、これにより気流のスリーブ３０に対する進出に便利な効果が達成される。
【００１０】
図３の（Ａ）に示されるように、本考案を具体的に実施する時、そのスリーブ３０は金属管体を加工して形成され、並びに関係する成形型が組み合わされて、開放端３２と嵌合端３１内側の管壁に円弧形拡張セクション３３が形成され、開放端３２の内径が嵌合端３１内径より大きいものとされ、且つ嵌合端３１の外径と開放端３２の外径は階級落差を形成し、スリーブ３０外側の嵌合端３１に近い位置に少なくとも一対の脚３４が設けられ、スリーブ３０が横向きに放置される時、脚３４が開放端３２の下端と共同で三つの接触点を構成し、スリーブ３０を安定して定点に放置可能とし、任意に転がらないようにする。
【００１１】
実際に使用する時は、図４に示されるように、フレキシブル風管１０は排風機２０と接続され、並びにフレキシブル風管１０の末端が所定位置に引っ張られた後、フレキシブル風管１０の末端管口とスリーブ３０の嵌合端３１が嵌合され、スリーブ３０の固定形態及び重量作用により、フレキシブル風管１０の末端の移動が防止され、並びに気流が順調にフレキシブル風管１０より排出されるか、或いはフレキシブル風管１０に吸入され、大幅に移動型排風機の使用の便利性と作業効率を高めることができる。
【００１２】
更に、図３の（Ｂ）に示されるように、フレキシブル風管１０の末端管口の周囲にはロープ１１が繞設され、フレキシブル風管１０の末端管口とスリーブ３０の嵌合端３１が嵌合される時、更にロープ１１の緊縛作用により、フレキシブル風管１０の末端が確実にスリーブ３０の嵌合端３１に嵌合される。特に、本考案のスリーブ３０は嵌合端３１の管口にリップ３５が設けられ、リップ３５がロープ１１に対してストッパ作用を形成し、フレキシブル風管１０とスリーブ３０の脱落を防止する。
【図面の簡単な説明】
【００１３】
【図１】周知の移動型排風機とそれに接続されたフレキシブル風管の使用状態図である。
【図２】本考案の固定装置の外観図である。
【図３】本考案の固定装置とフレキシブル風管の組合せ構造断面図である。
【図４】本考案の固定装置の使用状態図である。
【符号の説明】
【００１４】
１０  フレキシブル風管            １１  ロープ
２０  排風機                      ３０  スリーブ
３１  嵌合端                      ３２  開放端
３３  円弧形拡張セクション        ３４  脚
３５  リップ
【図１】
0003109909.tif 000003
【図２】
0003109909.tif 000004
【図３】
0003109909.tif 000005
【図４】
0003109909.tif 000006